(57)【要約】【課題】メニューの構成が階層構造であっても、メニュー画面の切り替えを容易に行うことができる再生装置を提供する。【解決手段】ＤＶＤプレーヤ１において、表示制御プログラム１６３ｃを実行したＣＰＵ１６１によりモニタ４に一覧表示されたメニュー画面履歴データテーブル１４ａに記憶された画像データに基づくメニュー画面画像の中から、ユーザによる操作部１５の操作により一のメニュー画面画像が選択されると、当該選択された一のメニュー画面画像に対応するメニュー画面データのＤＶＤ２における開始アドレスをメニュー画面履歴データテーブル１４ａから取得して、当該選択されたメニュー画面画像に対応するメニュー画面データを、再生部１１に再生させる再生制御プログラム１６３ａを実行したＣＰＵ１６１と、を備えるよう構成した。【選択図】図１
2008052871.tif 000002
【特許請求の範囲】
【請求項１】
所定の記憶媒体に記憶された所定のデータを再生する再生手段を備えた再生装置において、
前記所定の記憶媒体は、当該再生装置に着脱自在であり、
前記所定の記憶媒体には、所定のメニュー画面に関するメニュー画面データが複数記憶されており、
前記所定の記憶媒体に記憶されたメニュー画面データを、前記再生手段に再生させる再生制御手段と、
前記再生制御手段により制御された前記再生手段により再生されたメニュー画面データに基づくメニュー画面をキャプチャして、当該メニュー画面の画像データを取得する画像データ取得手段と、
前記再生制御手段により制御された前記再生手段により再生されたメニュー画面データの前記所定の記憶媒体における開始アドレスを取得する開始アドレス取得手段と、
前記画像データ取得手段により取得された前記メニュー画面データに基づくメニュー画面の画像データと、前記開始アドレス取得手段により取得された当該メニュー画面データの前記所定の記憶媒体における開始アドレスと、を対応付けて記憶する記憶手段と、
前記所定の記憶媒体が当該再生装置から離脱されると、前記記憶手段に記憶された画像データと開始アドレスとを消去する消去手段と、
当該再生装置に接続された表示装置に、前記記憶手段に記憶された画像データに基づくメニュー画面画像を一覧表示させる表示制御手段と、
前記表示制御手段により前記表示装置に一覧表示されたメニュー画面画像の中から、所望のメニュー画面画像を選択する選択手段と、を備え、
前記画像データ取得手段は、前記再生制御手段により制御された前記再生手段により再生されたメニュー画面データに基づくメニュー画面の画像データのうちの、前記記憶手段に記憶された画像データと同一でない画像データを取得し、
前記再生制御手段は、前記選択手段により選択されたメニュー画面画像に対応するメニュー画面データの前記所定の記憶媒体における開始アドレスを前記記憶手段から取得して、前記選択手段により選択されたメニュー画面画像に対応するメニュー画面データを、前記再生手段に再生させることを特徴とする再生装置。
【請求項２】
所定の記憶媒体に記憶された所定のデータを再生する再生手段を備えた再生装置において、
前記所定の記憶媒体には、所定のメニュー画面に関するメニュー画面データが複数記憶されており、
前記所定の記憶媒体に記憶されたメニュー画面データを、前記再生手段に再生させる再生制御手段と、
前記所定の記憶媒体に記憶されたメニュー画面データに基づくメニュー画面の画像データと、当該メニュー画面データの前記所定の記憶媒体における開始アドレスと、を取得する取得手段と、
前記取得手段により取得された、前記所定の記憶媒体に記憶されたメニュー画面データに基づくメニュー画面の画像データと、当該メニュー画面データの前記所定の記憶媒体における開始アドレスと、を対応付けて記憶する記憶手段と、
当該再生装置に接続された表示装置に、前記記憶手段に記憶された画像データに基づくメニュー画面画像を一覧表示させる表示制御手段と、
前記表示制御手段により前記表示装置に一覧表示されたメニュー画面画像の中から、所望のメニュー画面画像を選択する選択手段と、を備え、
前記再生制御手段は、前記選択手段により選択されたメニュー画面画像に対応するメニュー画面データの前記所定の記憶媒体における開始アドレスを前記記憶手段から取得して、前記選択手段により選択されたメニュー画面画像に対応するメニュー画面データを、前記再生手段に再生させることを特徴とする再生装置。
【請求項３】
請求項２に記載の再生装置において、
前記取得手段は、
前記再生制御手段により制御された前記再生手段により再生されたメニュー画面データに基づくメニュー画面をキャプチャして、当該メニュー画面の画像データを取得する画像データ取得手段と、
前記再生制御手段により制御された前記再生手段により再生されたメニュー画面データの前記所定の記憶媒体における開始アドレスを取得する開始アドレス取得手段と、を備えることを特徴とする再生装置。
【請求項４】
請求項３に記載の再生装置において、
前記画像データ取得手段は、
前記再生制御手段により制御された前記再生手段により再生されたメニュー画面データに基づくメニュー画面の画像データが、前記記憶手段に記憶された画像データと同一であるか否かを判断する判断手段を備え、
前記再生制御手段により制御された前記再生手段により再生されたメニュー画面データに基づくメニュー画面の画像データのうちの、前記判断手段により前記記憶手段に記憶された画像データと同一でないと判断された画像データを取得することを特徴とする再生装置。
【請求項５】
請求項２〜４の何れか一項に記載の再生装置において、
前記所定の記憶媒体は、当該再生装置に着脱自在であり、
前記所定の記憶媒体が当該再生装置から離脱されると、前記記憶手段に記憶された画像データと開始アドレスとを消去する消去手段を備えることを特徴とする再生装置。
【発明の詳細な説明】
【技術分野】
【０００１】
本発明は、再生装置に関する。
【背景技術】
【０００２】
従来、例えば、ＤＶＤ等に記憶されたデータを再生する再生装置においては、再生する映像コンテンツの、オーディオ選択、字幕選択、アングル選択等を、メニュー画面にて行えるようになっている。
しかしながら、メニューの構成が、例えば、図６に示すような階層構造である場合、「メニューＡ」から「メニューＣ」へメニュー画面を切り替えるためには、「ルートメニュー」及び「メニューＢ」のメニュー画面を経由しなければならず、煩わしいという問題がある。
【０００３】
そこで、例えば、最近アクセスされたファイル／フォルダ又は予め設定されたファイル／フォルダの名前をファイル選択画面やフォルダツリーメニューに追加して表示できるコンピュータ（例えば、特許文献１参照）のように、最近アクセスされたメニュー画面又は予め設定されたメニュー画面の名前を表示できるよう再生装置を構成する方法が考えられる。
また、例えば、複数階層の階層構造からなる処理メニューが実行された際に、そのメニュー選択手順を履歴情報として記憶しておき、そして、任意の履歴情報が指定されると、その指定された履歴情報に対応するメニュー選択手順でメニュー処理を順次実行するコンピュータ（例えば、特許文献２参照）のように、再生装置を構成する方法も考えられる。
また、例えば、利用可能なコンテンツのメニュー（例えば、番組表）を表示する際、番組を番組名の一覧で表示するだけでなく、出演者名やジャンル名などの各項目名の一覧で表示するオーディオ・ビジュアル装置（例えば、特許文献３参照）のように、メニュー画面を所定の項目名の一覧で表示できるよう再生装置を構成する方法も考えられる。
【特許文献１】特開２０００−５６８８５号公報
【特許文献２】特開平３−２４６６１１号公報
【特許文献３】特開２００４−１０４５９９号公報
【発明の開示】
【発明が解決しようとする課題】
【０００４】
しかしながら、特許文献１のように、最近アクセスされたメニュー画面又は予め設定されたメニュー画面の名前を表示するよう再生装置を構成しても、表示するのはメニュー画面の名前だけなので、ユーザ所望のメニュー画面が探し難いという問題がある。
また、特許文献２のように再生装置を構成しても、過去のメニュー選択手順以外の手順でメニュー処理を実行したい場合には有効でないという問題がある。
また、特許文献３のように、メニュー画面を所定の項目名の一覧で表示するよう再生装置を構成しても、所望のメニュー画面の項目名を把握しておかなければならず、ユーザにとって煩わしいという問題がある。
【０００５】
本発明の課題は、メニューの構成が階層構造であっても、メニュー画面の切り替えを容易に行うことができる再生装置を提供することにある。
【課題を解決するための手段】
【０００６】
上記課題を解決するために、請求項１に記載の発明は、
所定の記憶媒体に記憶された所定のデータを再生する再生手段を備えた再生装置において、
前記所定の記憶媒体は、当該再生装置に着脱自在であり、
前記所定の記憶媒体には、所定のメニュー画面に関するメニュー画面データが複数記憶されており、
前記所定の記憶媒体に記憶されたメニュー画面データを、前記再生手段に再生させる再生制御手段と、
前記再生制御手段により制御された前記再生手段により再生されたメニュー画面データに基づくメニュー画面をキャプチャして、当該メニュー画面の画像データを取得する画像データ取得手段と、
前記再生制御手段により制御された前記再生手段により再生されたメニュー画面データの前記所定の記憶媒体における開始アドレスを取得する開始アドレス取得手段と、
前記画像データ取得手段により取得された前記メニュー画面データに基づくメニュー画面の画像データと、前記開始アドレス取得手段により取得された当該メニュー画面データの前記所定の記憶媒体における開始アドレスと、を対応付けて記憶する記憶手段と、
前記所定の記憶媒体が当該再生装置から離脱されると、前記記憶手段に記憶された画像データと開始アドレスとを消去する消去手段と、
当該再生装置に接続された表示装置に、前記記憶手段に記憶された画像データに基づくメニュー画面画像を一覧表示させる表示制御手段と、
前記表示制御手段により前記表示装置に一覧表示されたメニュー画面画像の中から、所望のメニュー画面画像を選択する選択手段と、を備え、
前記画像データ取得手段は、前記再生制御手段により制御された前記再生手段により再生されたメニュー画面データに基づくメニュー画面の画像データのうちの、前記記憶手段に記憶された画像データと同一でない画像データを取得し、
前記再生制御手段は、前記選択手段により選択されたメニュー画面画像に対応するメニュー画面データの前記所定の記憶媒体における開始アドレスを前記記憶手段から取得して、前記選択手段により選択されたメニュー画面画像に対応するメニュー画面データを、前記再生手段に再生させることを特徴とする。
【０００７】
請求項２に記載の発明は、
所定の記憶媒体に記憶された所定のデータを再生する再生手段を備えた再生装置において、
前記所定の記憶媒体には、所定のメニュー画面に関するメニュー画面データが複数記憶されており、
前記所定の記憶媒体に記憶されたメニュー画面データを、前記再生手段に再生させる再生制御手段と、
前記所定の記憶媒体に記憶されたメニュー画面データに基づくメニュー画面の画像データと、当該メニュー画面データの前記所定の記憶媒体における開始アドレスと、を取得する取得手段と、
前記取得手段により取得された、前記所定の記憶媒体に記憶されたメニュー画面データに基づくメニュー画面の画像データと、当該メニュー画面データの前記所定の記憶媒体における開始アドレスと、を対応付けて記憶する記憶手段と、
当該再生装置に接続された表示装置に、前記記憶手段に記憶された画像データに基づくメニュー画面画像を一覧表示させる表示制御手段と、
前記表示制御手段により前記表示装置に一覧表示されたメニュー画面画像の中から、所望のメニュー画面画像を選択する選択手段と、を備え、
前記再生制御手段は、前記選択手段により選択されたメニュー画面画像に対応するメニュー画面データの前記所定の記憶媒体における開始アドレスを前記記憶手段から取得して、前記選択手段により選択されたメニュー画面画像に対応するメニュー画面データを、前記再生手段に再生させることを特徴とする。
【０００８】
請求項３に記載の発明は、
請求項２に記載の再生装置において、
前記取得手段は、
前記再生制御手段により制御された前記再生手段により再生されたメニュー画面データに基づくメニュー画面をキャプチャして、当該メニュー画面の画像データを取得する画像データ取得手段と、
前記再生制御手段により制御された前記再生手段により再生されたメニュー画面データの前記所定の記憶媒体における開始アドレスを取得する開始アドレス取得手段と、を備えることを特徴とする。
【０００９】
請求項４に記載の発明は、
請求項３に記載の再生装置において、
前記画像データ取得手段は、
前記再生制御手段により制御された前記再生手段により再生されたメニュー画面データに基づくメニュー画面の画像データが、前記記憶手段に記憶された画像データと同一であるか否かを判断する判断手段を備え、
前記再生制御手段により制御された前記再生手段により再生されたメニュー画面データに基づくメニュー画面の画像データのうちの、前記判断手段により前記記憶手段に記憶された画像データと同一でないと判断された画像データを取得することを特徴とする。
【００１０】
請求項５に記載の発明は、
請求項２〜４の何れか一項に記載の再生装置において、
前記所定の記憶媒体は、当該再生装置に着脱自在であり、
前記所定の記憶媒体が当該再生装置から離脱されると、前記記憶手段に記憶された画像データと開始アドレスとを消去する消去手段を備えることを特徴とする。
【発明の効果】
【００１１】
請求項１に記載の発明によれば、再生制御手段によって、所定の記憶媒体に記憶されたメニュー画面データを、再生手段に再生させることができ、画像データ取得手段によって、再生制御手段により制御された再生手段により再生されたメニュー画面データに基づくメニュー画面をキャプチャして、当該メニュー画面の画像データを取得することができ、開始アドレス取得手段によって、再生制御手段により制御された再生手段により再生されたメニュー画面データの所定の記憶媒体における開始アドレスを取得することができ、記憶手段によって、画像データ取得手段により取得されたメニュー画面データに基づくメニュー画面の画像データと、開始アドレス取得手段により取得された、当該メニュー画面データの所定の記憶媒体における開始アドレスと、を対応付けて記憶することができ、表示制御手段によって、再生装置に接続された表示装置に、記憶手段に記憶された画像データに基づくメニュー画面画像を一覧表示させることができ、選択手段によって、表示制御手段により表示装置に一覧表示されたメニュー画面画像の中から、所望のメニュー画面画像を選択することができる。そして、再生制御手段は、選択手段により選択されたメニュー画面画像に対応するメニュー画面データの所定の記憶媒体における開始アドレスを記憶手段から取得して、選択手段により選択されたメニュー画面画像に対応するメニュー画面データを、再生手段に再生させることができる。
したがって、過去に表示した所定の記憶媒体内のメニュー画面の履歴を記憶して、当該記憶されたメニュー画面へ直接アクセス可能にすることで、ユーザによるメニュー画面の切り替え操作量を軽減させることができ、さらに、過去に表示した所定の記憶媒体内のメニュー画面の画像データを記憶して、当該記憶された画像データを一覧表示可能にすることで、ユーザによるメニュー画面の選択が容易になるため、メニューの構成が階層構造であっても、メニュー画面の切り替えを容易に行うことができる。
【００１２】
また、画像データ取得手段は、再生制御手段により制御された再生手段により再生されたメニュー画面データに基づくメニュー画面の画像データのうちの、記憶手段に記憶された画像データと同一でない画像データを取得することができる。
したがって、記憶手段には、一のメニュー画面データが複数記憶されないため、効率的である。
【００１３】
また、消去手段によって、所定の記憶媒体が再生装置から離脱されると、記憶手段に記憶された画像データと開始アドレスとを消去することができる。
したがって、記憶手段には、再生装置に装着されている所定の記憶媒体内のメニュー画面の画像データしか記憶されないため、効率的である。
【００１４】
請求項２に記載の発明によれば、再生制御手段によって、所定の記憶媒体に記憶されたメニュー画面データを、再生手段に再生させることができ、取得手段によって、所定の記憶媒体に記憶されたメニュー画面データに基づくメニュー画面の画像データと、当該メニュー画面データの所定の記憶媒体における開始アドレスと、を取得することができ、記憶手段によって、取得手段により取得された、所定の記憶媒体に記憶されたメニュー画面データに基づくメニュー画面の画像データと、当該メニュー画面データの所定の記憶媒体における開始アドレスと、を対応付けて記憶することができ、表示制御手段によって、再生装置に接続された表示装置に、記憶手段に記憶された画像データに基づくメニュー画面画像を一覧表示させることができ、選択手段によって、表示制御手段により表示装置に一覧表示されたメニュー画面画像の中から、所望のメニュー画面画像を選択することができる。そして、再生制御手段は、選択手段により選択されたメニュー画面画像に対応するメニュー画面データの所定の記憶媒体における開始アドレスを記憶手段から取得して、選択手段により選択されたメニュー画面画像に対応するメニュー画面データを、再生手段に再生させることができる。
したがって、所定の記憶媒体内のメニュー画面を記憶して、当該記憶されたメニュー画面へ直接アクセス可能にすることで、ユーザによるメニュー画面の切り替え操作量を軽減させることができ、さらに、所定の記憶媒体内のメニュー画面の画像データを記憶して、当該記憶された画像データを一覧表示可能にすることで、ユーザによるメニュー画面の選択が容易になるため、メニューの構成が階層構造であっても、メニュー画面の切り替えを容易に行うことができる。
【００１５】
請求項３に記載の発明によれば、請求項２に記載の発明と同様の効果が得られることは無論のこと、取得手段は、画像データ取得手段によって、再生制御手段により制御された再生手段により再生されたメニュー画面データに基づくメニュー画面をキャプチャして、当該メニュー画面の画像データを取得することができ、開始アドレス取得手段によって、再生制御手段により制御された再生手段により再生されたメニュー画面データの所定の記憶媒体における開始アドレスを取得することができる。
したがって、過去に表示した所定の記憶媒体内のメニュー画面の履歴を記憶して、当該記憶されたメニュー画面へ直接アクセス可能にすることで、ユーザによるメニュー画面の切り替え操作量を軽減させることができ、さらに、過去に表示した所定の記憶媒体内のメニュー画面の画像データを記憶して、当該記憶された画像データを一覧表示可能にすることで、ユーザによるメニュー画面の選択が容易になるため、メニューの構成が階層構造であっても、メニュー画面の切り替えを容易に行うことができる。
【００１６】
請求項４に記載の発明によれば、請求項３に記載の発明と同様の効果が得られることは無論のこと、画像データ取得手段は、判断手段によって、再生制御手段により制御された再生手段により再生されたメニュー画面データに基づくメニュー画面の画像データが、記憶手段に記憶された画像データと同一であるか否かを判断することができ、再生制御手段により制御された再生手段により再生されたメニュー画面データに基づくメニュー画面の画像データのうちの、判断手段により記憶手段に記憶された画像データと同一でないと判断された画像データを取得することができる。
したがって、記憶手段には、一のメニュー画面データが複数記憶されないため、効率的である。
【００１７】
請求項５に記載の発明によれば、請求項２〜４の何れか一項に記載の発明と同様の効果が得られることは無論のこと、消去手段によって、所定の記憶媒体が再生装置から離脱されると、記憶手段に記憶された画像データと開始アドレスとを消去することができる。
したがって、記憶手段には、再生装置に装着中の所定の記憶媒体内のメニュー画面の画像データしか記憶されないため、効率的である。
【発明を実施するための最良の形態】
【００１８】
以下、図を参照して、本発明にかかる再生装置の最良の形態を詳細に説明する。なお、発明の範囲は、図示例に限定されない。
本実施の形態では、再生装置としてＤＶＤ（Digital Versatile Disc）プレーヤを例示して、所定の記憶媒体としてＤＶＤを例示して、説明することとする。
【００１９】
＜ＤＶＤプレーヤの構成＞
まず、ＤＶＤプレーヤ１の構成について、図１及び図２を参照して説明する。
【００２０】
ＤＶＤプレーヤ１は、例えば、ＤＶＤに記憶された所定のデータを、例えば、ＤＶＤビデオ規格に準じて再生可能な装置である。
ＤＶＤプレーヤ１には、例えば、ディスクトレイ（図示省略）が設けられており、ＤＶＤ２は、例えば、ＤＶＤプレーヤ１に設けられた当該ディスクトレイを利用して、ＤＶＤプレーヤ１に着脱自在となっている。
【００２１】
ＤＶＤ２は、例えば、ＭＰＥＧ２−ＰＳ方式により多重化された所定のデータを記憶している。
ＤＶＤ２に記憶された所定のデータは、例えば、映画等の映像コンテンツに関するＡＶ（Audio Visual）データと、それに関連する所定のメニュー画面に関するメニュー画面データと、等である。
【００２２】
具体的には、所定のメニュー画面は、例えば、ＤＶＤプレーヤ１により再生される映像コンテンツの、オーディオ選択、字幕選択、アングル選択等に関するメニュー画面である。
なお、メニュー画面は、例えば、画面内に所定の項目を選択するためのボタンを含む画面であり、当該ボタンの有無は、例えば、ストリーム内のＰＣＩ（Presentation Control Information）によって判断できる。
【００２３】
ＤＶＤプレーヤ１は、例えば、図１に示すように、再生部１１と、ＯＳＤ回路１２と、エンコーダ１３と、記憶部１４と、操作部１５と、制御部１６と、等を備えて構成される。各部は、バス１０によって接続されている。
また、ＤＶＤプレーヤ１は、例えば、デコーダ１１３を介して、スピーカ３と、表示装置としてのモニタ４と、等を接続している。
【００２４】
再生部１１は、制御部１６から入力される制御信号に従って、例えば、再生手段として、ＤＶＤ２に記憶された所定のデータを再生する。
具体的には、再生部１１は、例えば、図１に示すように、ディスクドライブ１１１と、デマルチプレクサ１１２と、デコーダ１１３と、等を備えている。
【００２５】
ディスクドライブ１１１は、例えば、ＤＶＤ２を回転させるためのディスクモータ（図示省略）と、回転しているＤＶＤ２から所定のデータを読み書きするためのヘッド部（図示省略）と、等から構成されており、制御部１６から入力される制御信号に従って、例えば、ＤＶＤ２に記憶された所定のデータを読み取って、デマルチプレクサ１１２に出力する。
【００２６】
デマルチプレクサ１１２は、制御部１６から入力される制御信号に従って、例えば、ディスクドライブ１１１から入力された所定のデータを、音声データと、映像データと、等に分離して、デコーダ１１３に出力する。
【００２７】
デコーダ１１３は、制御部１６から入力される制御信号に従って、例えば、デマルチプレクサ１１２から入力された音声データに対してデコード等の所定の処理を施して、スピーカ３に出力するとともに、デマルチプレクサ１１２から入力された映像データに対してデコード等の所定の処理を施して、モニタ３に出力する。
また、デコーダ１１３は、制御部１６から入力される制御信号に従って、例えば、記憶部１４（メニュー画面履歴データテーブル１４ａ（後述））に記憶された画像データに対してデコード等の所定の処理を施して、モニタ３に出力する。
【００２８】
スピーカ３は、例えば、デコーダ１１３から入力された音声データに基づく音声を出力する。
【００２９】
モニタ４は、例えば、デコーダ１１３から入力された映像データに基づく映像を表示したり、或いは、ＯＳＤ回路１２によりＯＳＤ表示信号が合成された、デコーダ１１３から入力された映像データに基づく映像を表示する。
【００３０】
ＯＳＤ回路１２は、制御部１６から入力される制御信号に従って、例えば、モニタ４に所定のオンスクリーンディスプレイ（ＯＳＤ）表示をさせるためのＯＳＤ表示信号を、デコーダ１１３からモニタ４に入力される映像データに合成する。
【００３１】
エンコーダ１３は、制御部１６から入力される制御信号に従って、例えば、取得プログラム１６３ｂを実行したＣＰＵ１６１（後述）により取得された画像データや開始アドレスに対してエンコード等の所定の処理を施して、記憶部１４に出力する。
【００３２】
記憶部１４は、例えば、磁気的記録媒体、光学的記録媒体、若しくは半導体メモリで構成されている。
具体的には、記憶部１４は、例えば、図１に示すように、メニュー画面履歴データテーブル１４ａ等を記憶している。
【００３３】
メニュー画面履歴データテーブル１４ａは、例えば、記憶手段として、エンコーダ１３から入力された、取得プログラム１６３ｂを実行したＣＰＵ１６１（後述）により取得された、ＤＶＤ２に記憶されたメニュー画面データに基づくメニュー画面の画像データと、当該メニュー画面データのＤＶＤ２における開始アドレスと、を対応付けて記憶する。
【００３４】
具体的には、メニュー画面履歴データテーブル１４ａは、例えば、取得プログラム１６３ｂを実行したＣＰＵ１６１により取得された、再生制御プログラム１６３ａを実行したＣＰＵ１６１（後述）により制御された再生部１１により再生されたメニュー画面データに基づくメニュー画面の画像データと、取得プログラム１６３ｂを実行したＣＰＵ１６１により取得された、再生制御プログラム１６３ａを実行したＣＰＵ１６１により制御された再生部１１により再生された当該メニュー画面データのＤＶＤ２における開始アドレスと、を対応付けて記憶する。
【００３５】
操作部１５は、例えば、ＤＶＤプレーヤ１の外面に備えられた操作ボタン（図示省略）や、ＤＶＤプレーヤ１用のリモートコントローラ（図示省略）及び当該リモートコントローラと通信可能なリモコン受信部（図示省略）などから構成されており、例えば、ユーザにより操作されると、当該操作に伴う各種信号を制御部１６に出力する。
【００３６】
具体的には、操作部１５は、例えば、ユーザが、モニタ４に表示されている画面をユーザ所望の画面に切り替えるよう指示する際に操作されるとともに、例えば、選択手段として、ユーザが、モニタ４に一覧表示されたメニュー画面画像（すなわち、「メニュー画面履歴一覧」画面Ｇ（後述））の中から、所望のメニュー画面画像を選択する際に操作される。
【００３７】
制御部１６は、例えば、図１に示すように、ＣＰＵ（Central Processing Unit）１６１と、ＲＡＭ（Random Access Memory）１６２と、ＲＯＭ（Read Only Memory）１６３と、等を備えている。
【００３８】
ＣＰＵ１６１は、例えば、ＲＯＭ１６３に記憶されたＤＶＤプレーヤ１用の各種処理プログラムに従って各種の制御動作を行う。
【００３９】
ＲＡＭ１６２は、例えば、ＣＰＵ１６１によって実行される処理プログラムなどを展開するためのプログラム格納領域や、入力データや上記処理プログラムが実行される際に生じる処理結果などを格納するデータ格納領域などを備える。
【００４０】
ＲＯＭ１６３は、ＤＶＤプレーヤ１で実行可能なシステムプログラム、当該システムプログラムで実行可能な各種処理プログラム、これら各種処理プログラムを実行する際に使用されるデータ、ＣＰＵ１６１によって演算処理された処理結果のデータ等を記憶する。なお、プログラムは、コンピュータが読み取り可能なプログラムコードの形でＲＯＭ１６３に記憶されている。
【００４１】
具体的には、ＲＯＭ１６３は、例えば、図１に示すように、再生制御プログラム１６３ａと、取得プログラム１６３ｂと、表示制御プログラム１６３ｃと、消去プログラム１６３ｄと、等を記憶している。
【００４２】
再生制御プログラム１６３ａは、例えば、ＤＶＤ２に記憶されたメニュー画面データを、再生部１１に再生させる機能を、ＣＰＵ１６１に実現させる。
【００４３】
具体的には、ＣＰＵ１６１は、例えば、ユーザによる操作部１５の操作によりモニタ４に表示されている画面をユーザ所望の画面に切り替えるよう指示されると、ＤＶＤ２に記憶された当該ユーザ所望の画面に関する画面データの開始アドレスに従って、当該ユーザ所望の画面に関する画面データを、再生部１１に再生させるとともに、表示制御プログラム１６３ｃを実行したＣＰＵ１６１によりモニタ４に一覧表示されたメニュー画面画像（すなわち、「メニュー画面履歴一覧」画面Ｇ（後述））の中から、ユーザによる操作部１５の操作により一のメニュー画面画像が選択されると、当該選択されたメニュー画面画像に対応するメニュー画面データのＤＶＤ２における開始アドレスをメニュー画面履歴データテーブル１４ａから取得して、当該選択されたメニュー画面画像に対応するメニュー画面データを、再生部１１に再生させる。
ＣＰＵ１６１は、かかる再生制御プログラム１６３ａを実行することによって、再生制御手段として機能する。
【００４４】
取得プログラム１６３ｂは、例えば、ＤＶＤ２に記憶されたメニュー画面データに基づくメニュー画面の画像データと、当該メニュー画面データのＤＶＤ２における開始アドレスと、を取得する機能を、ＣＰＵ１６１に実現させる。
【００４５】
具体的には、ＣＰＵ１６１は、例えば、再生制御プログラム１６３ａを実行したＣＰＵ１６１により制御された再生部１１により再生されてモニタ４に表示されたメニュー画面データに基づくメニュー画面をキャプチャして、当該メニュー画面の画像データを取得するとともに、再生制御プログラム１６３ａを実行したＣＰＵ１６１により制御された再生部１１により再生されてモニタ４に表示されたメニュー画面データのＤＶＤ２における開始アドレスを取得する。
【００４６】
より具体的には、ＣＰＵ１６１は、例えば、再生制御プログラム１６３ａを実行したＣＰＵ１６１により制御された再生部１１により再生されてモニタ４に表示されたメニュー画面データに基づくメニュー画面の画像データが、メニュー画面履歴データテーブル１４ａに記憶された画像データと同一であるか否かを判断し、そして、再生制御プログラム１６３ａを実行したＣＰＵ１６１により制御された再生部１１により再生されてモニタ４に表示されたメニュー画面データに基づくメニュー画面の画像データのうちの、メニュー画面履歴データテーブル１４ａに記憶された画像データと同一でないと判断した画像データを取得する。
【００４７】
ここで、ＣＰＵ１６１は、例えば、モニタ４に表示されている画面が切り替わる際に、画像データを取得するようになっている。具体的には、画面の切り替わりは、例えば、ストリーム内のＰＧＣ（Program Chain）の切り替わり、或いはＤＶＤプレーヤ１（再生部１１）の再生状態から停止状態への切り替わりである。
ＣＰＵ１６１は、かかる取得プログラム１６３ｂを実行することによって、取得手段（画像データ取得手段（判断手段）、開始アドレス取得手段）として機能する。
【００４８】
表示制御プログラム１６３ｃは、例えば、ＤＶＤプレーヤ１に接続されたモニタ４に、メニュー画面履歴データテーブル１４ａに記憶された画像データに基づくメニュー画面画像を一覧表示させる機能を、ＣＰＵ１６１に実現させる。
【００４９】
具体的には、ＣＰＵ１６１は、例えば、再生部１１（デコーダ１１３等）とＯＳＤ回路１２とに制御信号を入力して、例えば、図２に示すような、「メニュー画面履歴一覧」画面Ｇを、モニタ４に表示させる。
【００５０】
「メニュー画面履歴一覧」画面Ｇには、例えば、メニュー画面履歴データテーブル１４ａに画像データが記憶された順に、メニュー画面画像が一覧表示されている。すなわち、例えば、メニュー画面が「ルートメニュー」→「メニューＢ」→「メニューＣ」→「メニューＦ」の順に切り替えられた場合に、例えば、図２に示す「メニュー画面履歴一覧」画面Ｇが表示される。
ＣＰＵ１６１は、かかる表示制御プログラム１６３ｃを実行することによって、表示制御手段として機能する。
【００５１】
消去プログラム１６３ｄは、例えば、ＤＶＤ２がＤＶＤプレーヤ１から離脱されると、メニュー画面履歴データテーブル１４ａに記憶された画像データと開始アドレスとを消去する機能を、ＣＰＵ１６１に実現させる。
【００５２】
具体的には、ＣＰＵ１６１は、例えば、ＤＶＤプレーヤ１に設けられたディスクトレイ（図示省略）がオーブンされた際に、メニュー画面履歴データテーブル１４ａに記憶された画像データと開始アドレスとを消去する。
ＣＰＵ１６１は、かかる消去プログラム１６３ｄを実行することによって、消去手段として機能する。
【００５３】
＜処理＞
次に、ＤＶＤプレーヤ１による処理について、図３〜図５のフローチャートを参照して説明する。
【００５４】
（メニュー画面履歴記憶処理）
まず、ＤＶＤプレーヤ１によるメニュー画面履歴の記憶に関する処理について、図３のフローチャートを参照して説明する。
【００５５】
まず、ユーザによる操作部１５の操作によって、モニタ４に表示されている画面をユーザ所望の画面に切り替えるよう指示されると（ステップＳ１１）、ＣＰＵ１６１は、モニタ４に表示中の画面がメニュー画面であるか否かを、例えば、モニタ４に表示中の画面に所定の項目を選択するためのボタンが含まれているか否かによって判断する（ステップＳ１２）。
【００５６】
ステップＳ１２で、モニタ４に表示中の画面がメニュー画面でないと判断すると（ステップＳ１２；Ｎｏ）、ＣＰＵ１６１は、ステップＳ１６の処理に移行する。
【００５７】
一方、ステップＳ１２で、モニタ４に表示中の画面がメニュー画面であると判断すると（ステップＳ１２；Ｙｅｓ）、ＣＰＵ１６１は、取得プログラム１６３ｂを実行して、モニタ４に表示中のメニュー画面の画像データが、メニュー画面履歴データテーブル１４ａに記憶された画像データと同一であるか否かを判断する（ステップＳ１３）。
【００５８】
ステップＳ１３で、モニタ４に表示中のメニュー画面の画像データが、メニュー画面履歴データテーブル１４ａに記憶された画像データと同一であると判断すると（ステップＳ１３；Ｙｅｓ）、ＣＰＵ１６１は、ステップＳ１６の処理に移行する。
【００５９】
一方、ステップＳ１３で、モニタ４に表示中のメニュー画面の画像データが、メニュー画面履歴データテーブル１４ａに記憶された画像データと同一でないと判断すると（ステップＳ１３；Ｎｏ）、ＣＰＵ１６１は、モニタ４に表示中のメニュー画面に関するメニュー画面データのＤＶＤ２における開始アドレスを取得して、メニュー画面履歴データテーブル１４ａに記憶させるとともに（ステップＳ１４）、モニタ４に表示中のメニュー画面の画像データを取得して、メニュー画面履歴データテーブル１４ａに記憶させる（ステップＳ１５）。
【００６０】
次いで、ＣＰＵ１６１は、再生制御プログラム１６３ａを実行して、ＤＶＤ２に記憶されたステップＳ１１で指定されたユーザ所望の画面に関する画面データの開始アドレスに従って、当該ユーザ所望の画面に関する画面データを、再生部１１に再生させることによって、モニタ４に表示中の画面を、当該ユーザ所望の画面に切り替えて（ステップＳ１６）、本処理を終了する。
【００６１】
（メニュー画面履歴呼出処理）
次に、ＤＶＤプレーヤ１によるメニュー画面履歴の呼出に関する処理について、図４のフローチャートを参照して説明する。
【００６２】
まず、ユーザによる操作部１５の操作によって、「メニュー画面履歴一覧」画面Ｇをモニタ４に表示するよう指示されると（ステップＳ３１）、ＣＰＵ１６１は、モニタ４に表示中の画面がメニュー画面であるか否かを、例えば、モニタ４に表示中の画面に所定の項目を選択するためのボタンが含まれているか否かによって判断する（ステップＳ３２）。
【００６３】
ステップＳ３２で、モニタ４に表示中の画面がメニュー画面でないと判断すると（ステップＳ３２；Ｎｏ）、ＣＰＵ１６１は、ステップＳ３６の処理に移行する。
【００６４】
一方、ステップＳ３２で、モニタ４に表示中の画面がメニュー画面であると判断すると（ステップＳ３２；Ｙｅｓ）、ＣＰＵ１６１は、取得プログラム１６３ｂを実行して、モニタ４に表示中のメニュー画面の画像データが、メニュー画面履歴データテーブル１４ａに記憶された画像データと同一であるか否かを判断する（ステップＳ３３）。
【００６５】
ステップＳ３３で、モニタ４に表示中のメニュー画面の画像データが、メニュー画面履歴データテーブル１４ａに記憶された画像データと同一であると判断すると（ステップＳ３３；Ｙｅｓ）、ＣＰＵ１６１は、ステップＳ３６の処理に移行する。
【００６６】
一方、ステップＳ３３で、モニタ４に表示中のメニュー画面の画像データが、メニュー画面履歴データテーブル１４ａに記憶された画像データと同一でないと判断すると（ステップＳ３３；Ｎｏ）、ＣＰＵ１６１は、モニタ４に表示中のメニュー画面に関するメニュー画面データのＤＶＤ２における開始アドレスを取得して、メニュー画面履歴データテーブル１４ａに記憶させるとともに（ステップＳ３４）、モニタ４に表示中のメニュー画面の画像データを取得して、メニュー画面履歴データテーブル１４ａに記憶させる（ステップＳ３５）。
【００６７】
次いで、ＣＰＵ１６１は、表示制御プログラム１６３ｃを実行して、メニュー画面履歴データテーブル１４ａに記憶された画像データに基づくメニュー画面画像を一覧表示させた「メニュー画面履歴一覧」画面Ｇを、モニタ４に表示させる（ステップＳ３６）。
【００６８】
次いで、ＣＰＵ１６１は、ステップＳ３６にて表示された「メニュー画面履歴一覧」画面Ｇにおいて、ユーザによる操作部１５の操作により一のメニュー画面画像が選択されたか否かを判断する（ステップＳ３７）。
【００６９】
ステップＳ３７で、ユーザによる操作部１５の操作により一のメニュー画面画像が選択されていないと判断すると（ステップＳ３７；Ｎｏ）、ＣＰＵ１６１は、ステップＳ３７の処理を繰り返して行う。
【００７０】
一方、ステップＳ３７で、ユーザによる操作部１５の操作により一のメニュー画面画像が選択されたと判断すると（ステップＳ３７；Ｙｅｓ）、ＣＰＵ１６１は、再生制御プログラム１６３ａを実行して、メニュー画面履歴データテーブル１４ａに記憶されたステップＳ３７で選択された一のメニュー画面画像に対応するメニュー画面データの開始アドレスに従って、当該選択された一のメニュー画面画像に対応するメニュー画面データを、再生部１１に再生させることによって、モニタ４に表示中の画面を、当該選択された一のメニュー画面画像に対応するメニュー画面データに基づくメニュー画面に切り替えて（ステップＳ３８）、本処理を終了する。
【００７１】
（メニュー画面履歴消去処理）
次に、ＤＶＤプレーヤ１によるメニュー画面履歴の消去に関する処理について、図５のフローチャートを参照して説明する。
【００７２】
まず、ユーザによる操作部１５の操作によって、ＤＶＤプレーヤ１に設けられたＤＶＤ２を着脱するためのディスクトレイ（図示省略）をオープンするよう指示されると（ステップＳ５１）、ＣＰＵ１６１は、消去プログラム１６３ｄを実行して、メニュー画面履歴データテーブル１４ａに画像データと開始アドレスとが記憶されているか否かを判断する（ステップＳ５２）。
【００７３】
ステップＳ５２で、メニュー画面履歴データテーブル１４ａに画像データと開始アドレスとが記憶されていないと判断すると（ステップＳ５２；Ｎｏ）、ＣＰＵ１６１は、ステップＳ５４の処理に移行する。
【００７４】
一方、ステップＳ５２で、メニュー画面履歴データテーブル１４ａに画像データと開始アドレスとが記憶されていると判断すると（ステップＳ５２；Ｙｅｓ）、ＣＰＵ１６１は、メニュー画面履歴データテーブル１４ａに記憶されている画像データと開始アドレスとを消去する（ステップＳ５３）。
【００７５】
次いで、ＣＰＵ１６１は、ＤＶＤプレーヤ１に設けられたディスクトレイ（図示省略）をオープンし（ステップＳ５４）、本処理を終了する。
【００７６】
以上説明した本発明のＤＶＤプレーヤ１によれば、再生部１１によって、ＤＶＤ２に記憶された所定のデータを再生することができ、再生制御プログラム１６３ａを実行したＣＰＵ１６１によって、ＤＶＤ２に記憶されたメニュー画面データを、再生部１１に再生させることができ、取得プログラム１６３ｂを実行したＣＰＵ１６１によって、ＤＶＤ２に記憶されたメニュー画面データに基づくメニュー画面の画像データと、当該メニュー画面データのＤＶＤ２における開始アドレスと、を取得することができ、メニュー画面履歴データテーブル１４ａによって、取得プログラム１６３ｂを実行したＣＰＵ１６１により取得された、ＤＶＤ２に記憶されたメニュー画面データに基づくメニュー画面の画像データと、当該メニュー画面データのＤＶＤ２における開始アドレスと、を対応付けて記憶することができ、表示制御プログラム１６３ｃを実行したＣＰＵ１６１によって、ＤＶＤプレーヤ１に接続されたモニタ４に、メニュー画面履歴データテーブル１４ａに記憶された画像データに基づくメニュー画面画像を一覧表示させることができ、ユーザによる操作部１５の操作によって、表示制御プログラム１６３ｃを実行したＣＰＵ１６１によりモニタ４に一覧表示されたメニュー画面画像の中から、所望のメニュー画面画像を選択することができる。そして、取得プログラム１６３ｂを実行したＣＰＵ１６１は、再生制御プログラム１６３ａを実行したＣＰＵ１６１により制御された再生部１１により再生されたメニュー画面データに基づくメニュー画面をキャプチャして、当該メニュー画面の画像データを取得することができ、再生制御プログラム１６３ａを実行したＣＰＵ１６１により制御された再生部１１により再生されたメニュー画面データのＤＶＤ２における開始アドレスを取得することができ、再生制御プログラム１６３ａを実行したＣＰＵ１６１は、ユーザによる操作部１５の操作により選択されたメニュー画面画像に対応するメニュー画面データのＤＶＤ２における開始アドレスをメニュー画面履歴データテーブル１４ａから取得して、ユーザによる操作部１５の操作により選択されたメニュー画面画像に対応するメニュー画面データを、再生部１１に再生させることができる。
したがって、過去に表示したＤＶＤ２内のメニュー画面の履歴を記憶して、当該記憶されたメニュー画面へ直接アクセス可能にすることで、ユーザによるメニュー画面の切り替え操作量を軽減させることができ、さらに、過去に表示したＤＶＤ２内のメニュー画面の画像データを記憶して、当該記憶された画像データを一覧表示可能にすることで、ユーザによるメニュー画面の選択が容易になるため、メニューの構成が階層構造であっても、メニュー画面の切り替えを容易に行うことができる。
【００７７】
また、取得プログラム１６３ｂを実行したＣＰＵ１６１は、再生制御プログラム１６３ａを実行したＣＰＵ１６１により制御された再生部１１により再生されたメニュー画面データに基づくメニュー画面の画像データが、メニュー画面履歴データテーブル１４ａに記憶された画像データと同一であるか否かを判断することができ、そして、再生制御プログラム１６３ａを実行したＣＰＵ１６１により制御された再生部１１により再生されたメニュー画面データに基づくメニュー画面の画像データのうちの、メニュー画面履歴データテーブル１４ａに記憶された画像データと同一でないと判断した画像データを取得することができる。
したがって、メニュー画面履歴データテーブル１４ａには、一のメニュー画面データが複数記憶されないため、効率的である。
【００７８】
また、消去プログラム１６３ｄを実行したＣＰＵ１６１によって、ＤＶＤ２がＤＶＤプレーヤ１から離脱されると、メニュー画面履歴データテーブル１４ａに記憶された画像データと開始アドレスとを消去することができる。
したがって、メニュー画面履歴データテーブル１４ａには、ＤＶＤプレーヤ１に装着中のＤＶＤ２内のメニュー画面の画像データしか記憶されないため、効率的である。
【００７９】
なお、本発明は、上記した実施の形態のものに限るものではなく、その要旨を逸脱しない範囲で適宜変更可能である。
【００８０】
再生装置は、ＤＶＤプレーヤ１に限るものではなく、例えば、ＨＤ（Hard Disk）プレーヤーなど、所定の記憶媒体に記憶された所定のデータを再生する再生部１１を備えた装置であれば任意である。
【００８１】
所定の記憶媒体は、ＤＶＤ２に限るものではなく、さらに、ＤＶＤプレーヤ１に着脱自在でなくてもよく、所定のメニュー画面に関するメニュー画面データが複数記憶された記憶媒体であれば任意である。
具体的には、所定の記憶媒体は、例えば、ＨＤＤ（Hard Disk Drive）等であってもよい。この場合、ディスクトレイのオープンに伴って、メニュー画面履歴データテーブル１４ａに記憶された画像データや開始アドレスが消去されることはない。
【００８２】
過去に表示したメニュー画面の画像データを記憶して、当該画像データに基づくメニュー画面画像を一覧表示するようにしたが、例えば、ＤＶＤ２に記憶された全てのメニュー画面データに対応するメニュー画面画像を一覧表示するようにしてもよい。
【００８３】
ディスクトレイのオープンに伴って、メニュー画面履歴データテーブル１４ａに記憶された画像データや開始アドレスを消去しなくてもよい。この場合、メニュー画面履歴データテーブル１４ａに記憶された画像データや開始アドレスを、ＤＶＤ２を識別するための識別情報を用いて整理しておき、そして、一のＤＶＤ２が装着されて、「メニュー画面履歴一覧」画面Ｇを表示するよう指示されると、その一のＤＶＤ２の識別情報に対応する画像データに基づくメニュー画面画像を一覧表示するようにしてもよい。
【００８４】
メニュー画面画像の一覧表示の仕方は、図２に示す「メニュー画面履歴一覧」画面Ｇに限るものではなく、例えば、図６に示す樹形図のように、メニュー画面画像をメニュー構成（階層構造）のとおりに配置して、メニュー画面画像を一覧表示するようにしてもよい。
【図面の簡単な説明】
【００８５】
【図１】本発明にかかるＤＶＤプレーヤの機能的構成を示すブロック図である。
【図２】「メニュー画面履歴一覧」画面を説明するための図である。
【図３】本発明にかかるＤＶＤプレーヤによるメニュー画面履歴の記憶に関する処理を説明するためのフローチャートである。
【図４】本発明にかかるＤＶＤプレーヤによるメニュー画面履歴の呼出に関する処理を説明するためのフローチャートである。
【図５】本発明にかかるＤＶＤプレーヤによるメニュー画面履歴の消去に関する処理を説明するためのフローチャートである。
【図６】階層構造のメニューの構成を説明するための図である。
【符号の説明】
【００８６】
１  ＤＶＤプレーヤ（再生装置）
２  ＤＶＤ（所定の記憶媒体）
４  モニタ（表示装置）
１１  再生部（再生手段）
１４ａ  メニュー画面履歴データテーブル（記憶手段）
１５  操作部（選択手段）
１６１  ＣＰＵ（再生制御手段、取得手段（画像データ取得手段（判断手段）、開始アドレス取得手段）、表示制御手段、消去手段）
１６３ａ  再生制御プログラム（再生制御手段）
１６３ｂ  取得プログラム（取得手段（画像データ取得手段（判断手段）、開始アドレス取得手段））
１６３ｃ  表示制御プログラム（表示制御手段）
１６３ｄ  消去プログラム（消去手段）
【図１】
2008052871.tif 000003
【図２】
2008052871.tif 000004
【図３】
2008052871.tif 000005
【図４】
2008052871.tif 000006
【図５】
2008052871.tif 000007
【図６】
2008052871.tif 000008